(57)【要約】【課題】コンクリート壁面に陰影の濃淡の変化による意匠を創作し、壁面の景観を向上させる。【解決手段】コンクリート壁ブロック２をパネル部３ａと中空部３ｂとから構成し、パネル部３ａの壁面部に複数の意匠パターン５を設ける。各意匠パターン５に、縦溝６ａを複数並べた意匠部６と、横溝７ａを複数並べた意匠部７と、右下がり傾斜溝８ａを複数並べた意匠部８と、左下がり傾斜溝９ａを複数並べた意匠部９とを区画して形成する。多数のコンクリート壁ブロック２を積み上げるとともに横に並べてコンクリート擁壁を構築する。【選択図】　　　　図２
2004019344.tif 000002
【特許請求の範囲】
【請求項１】
壁面部に、縦溝を複数並べた意匠部と、横溝を複数並べた意匠部と、右下がり傾斜溝を複数並べた意匠部と、左下がり傾斜溝を複数並べた意匠部とを区画して備えたコンクリート壁ブロック。
【請求項２】
前記溝方向の異なる四種類の意匠部は、各意匠部の面積が最も面積の小さい種類と最も面積の大きい種類とで３倍以上に異ならないことを特徴とする請求項１記載のコンクリート壁ブロック。
【請求項３】
隣接する意匠部間に高低差を設けた請求項１記載のコンクリート壁ブロック。
【請求項４】
壁面部に、該壁面部の面積を複数等分した複数の正方形の意匠用型枠を用いて、意匠部の位置及び形状が異なる複数の意匠パターンを成形した請求項１、２又は３記載のコンクリート壁ブロック。
【請求項５】
壁面部に、縦溝を複数並べた意匠部と、横溝を複数並べた意匠部と、右下がり傾斜溝を複数並べた意匠部と、左下がり傾斜溝を複数並べた意匠部とを備えたコンクリート壁ブロックを積み上げて又は横に並べて構築したコンクリート壁。
【発明の詳細な説明】
【０００１】
【発明の属する技術分野】
本発明は、コンクリート壁ブロック及び該ブロックを用いて構築されるコンクリート壁に関するものである。
【０００２】
【従来の技術】
従来、コンクリート壁ブロックの壁面部にれんが積み模様や縦縞模様等の意匠部を設け、コンクリート壁面の景観をよくする技術が知られている。また、コンクリート壁面は周辺物に比べ明るく目立ちすぎるため、コンクリートに顔料を添加し、着色による意匠でコンクリート壁面の明度を下げる技術も知られている。
【０００３】
【発明が解決しようとする課題】
しかし、模様による意匠は、図柄の連続又は繰り返しであるから、コンクリート壁面の印象が画一的で単調になる問題点があった。一方、着色による意匠は、全体的な明度を下げることはできるが、明度差を付けることができないため、やはり壁面の景観が変化に乏しい単調なものになるという問題点があった。
【０００４】
本発明の目的は、上記課題を解決し、コンクリート壁面に陰影の濃淡の変化による意匠を創作して、壁面の景観を向上させることができるコンクリート壁ブロック及びコンクリート壁を提供することにある。
【０００５】
【課題を解決するための手段】
上記の課題を解決するために、本発明のコンクリート壁ブロックは、壁面部に、縦溝を複数並べた意匠部と、横溝を複数並べた意匠部と、右下がり傾斜溝を複数並べた意匠部と、左下がり傾斜溝を複数並べた意匠部とを区画して備えたことを特徴とする。
【０００６】
ここで、縦溝は、略上下方向に延びる溝であり、鉛直線に対し±１５°までの範囲の溝を含む。横溝は、略水平方向に延びる溝であり、水平線に対し±１５°までの範囲の溝を含む。右下がり傾斜溝は、右下がり方向に延びる溝であり、水平線に対し右下がりに３０〜６０°の範囲の溝を含む。左下がり傾斜溝は、左下がり方向に延びる溝であり、水平線に対し左下がりに３０〜６０°範囲の溝を含む。各溝のピッチと深さとの比率は、特に限定されないが、１：２から４：１の範囲を例示できる。
【０００７】
一つのブロックの壁面部における前記四種類の意匠部の区画の態様としては、特に限定されないが、次の態様を例示できる。
▲１▼　壁面部に四種類の意匠部を一つずつ備えるように区画する。
▲２▼　壁面部にある種類の意匠部を一つ備え、別の種類の意匠部を二つ以上備えるように区画する。
▲３▼　壁面部に四種類の意匠部を二つ以上ずつ備えるように区画する。
【０００８】
前記溝方向の異なる四種類の意匠部は、各意匠部の面積（上記のように二つ以上備えるときはその合計面積。本明細書において同じ。）が同程度であることが好ましく、具体的には、最も面積の小さい種類と最も面積の大きい種類とで３倍以上に異ならないことが好ましく、２倍以上に異ならないことがさらに好ましい。
【０００９】
また、意匠部の寸法及び輪郭形状は、特に限定されず、コンクリート壁ブロックの壁面部の面積、施工場所、コンクリート壁全体の景観等を考慮して適宜に決定できる。意匠部の輪郭形状としては、敷石模様、れんが積み模様、木目模様、幾何学模様等を構成する形状を例示できるが、作意のない陰影を付けることができる点で、不規則な輪郭形状が望ましい。また、陰影の濃淡に立体感を付けるために、隣接する意匠部間（同種の意匠部間でも異種の意匠部間でもよい）に高低差を設けるのが好ましい。
【００１０】
意匠部の成形には、通常、ブロック本体を成形する躯体用型枠とは別の意匠用型枠が用いられる。意匠用型枠としては、向きを変えることで４通りの意匠パターンを成形できる点で、正方形の型枠を用いるのが好ましい。具体的には、ブロックの壁面部に、該壁面部の面積を複数等分した複数の正方形の意匠用型枠を用いて、意匠部の位置及び形状が異なる複数の意匠パターンを成形するとよい。
【００１１】
本発明のコンクリート壁は、壁面部に、縦溝を複数並べた意匠部と、横溝を複数並べた意匠部と、右下がり傾斜溝を複数並べた意匠部と、左下がり傾斜溝を複数並べた意匠部とを区画して備えたコンクリート壁ブロックを積み上げて又は横に並べて構築したことを特徴とする。
【００１２】
コンクリート壁の種類としては、住宅用の外構壁、盛土や地山の法面を補強する擁壁、川、海、湖沼の護岸壁等を例示できる。一つのコンクリート壁ブロックの壁面部の面積が大きい場合、壁面部に複数のパターンに分け（例えば同じ構成の意匠パターンを異なる向きで複数並設する）、少数の意匠パターンで壁面全体の景観に変化を与える工夫を凝らしてもよい。
【００１３】
【発明の実施の形態】
以下、本発明の実施の形態を図面に基づいて説明する。図１に示すコンクリート壁１は、住宅造成地、道路、鉄道等の盛土を補強する大規模なコンクリート擁壁であって、コンクリートベース４の上に多数のコンクリート壁ブロック２を積み上げるとともに横に並べて構築されている。コンクリート壁ブロック２には、擁壁の高さに応じ、大小複数種のプレキャストコンクリート製品が用いられるが、図１では、縦１ｍ×横３ｍの大型コンクリート壁ブロック（図２及び図４参照）と、縦１ｍ×横２ｍの小型コンクリート壁ブロック（図３参照）とを組み合わせた施工例を示した。
【００１４】
図２，図３に示すように、各コンクリート壁ブロック２はパネル部３ａと中空部３ｂとから構成されている。中空部３ｂはパネル部３ａの背面に複数突設され、その内側に成形される鉄筋コンクリート製の連結柱（図示略）によって上下のコンクリート壁ブロック２が連結される。なお、連結柱を裾太に成形できるように、擁壁下段部に用いられるブロック２（図２（ｂ）、図３（ｂ）参照）の中空部３ｂは大きな容積で形成され、上段部に用いられるブロック２（図２（ａ）、図３（ａ）参照）の中空部３ｂは小さな容積で形成されている。
【００１５】
大型コンクリート壁ブロック２（図２及び図４参照）のパネル部３ａの壁面部には三つの意匠パターン５が設けられ、小型コンクリート壁ブロック２（図３参照）のパネル部３ａの壁面部には二つの意匠パターン５が設けられている。各意匠パターン５には、縦溝６ａを複数並べた意匠部６と、横溝７ａを複数並べた意匠部７と、右下がり傾斜溝８ａを複数並べた意匠部８と、左下がり傾斜溝９ａを複数並べた意匠部９とが、それぞれ敷石を模した不規則な輪郭形状で区画して形成されている。そして、各意匠部６〜９の溝６ａ〜９ａにより、壁面に陰影の濃淡による意匠が創作されている。これらの図２〜図４では、縦溝６ａを鉛直線に対し０°、横溝７ａを水平線に対し０°、右下がり傾斜溝８ａを水平線に対し右下がりに４５°、左下がり傾斜溝９ａを水平線に対し左下がりに４５°で例示した。
【００１６】
前記のとおり、例えば大型コンクリート壁ブロック２では、図４（ａ）（ｂ）（ｃ）に示すように、意匠部６〜９の位置、形状及び数が異なる３種類の意匠パターン５が採用されている。（ａ）（ｂ）（ｃ）の各意匠パターン５には次の表１に示す数の意匠部６〜９が含まれ、各意匠部６〜９の合計面積が、最も面積の小さい種類と最も面積の大きい種類とで２倍以上に異ならないようになっている。この面積関係については、小型コンクリート壁ブロック２も同様である。
【００１７】
【表１】
2004019344.tif 000003
【００１８】
図４（ａ）（ｂ）（ｃ）の各意匠パターン５は３種類の意匠用型枠１１を用いて成形されている。各意匠用型枠１１はゴム板からなり、大型コンクリート壁ブロック２のパネル部３ａの壁面部の面積を３等分した一つに相当する縦１ｍ×横１ｍの正方形に形成されている。従って、大型コンクリート壁ブロック２の場合には、３種類の意匠用型枠１１の向きをそれぞれ４通り、並べ順を６通りに変えることで、合計３８４（４×４×４×６）通りの意匠を創作することができる。さらに、後述するように、この意匠を見る方向を８通り（後記▲１▼〜▲８▼）に変えることにより、３０７２（３８４×８）通り陰影の濃淡を表出することができる。
【００１９】
図５に示すように、意匠用型枠１１には複数の溝付き成形凹部１１ａがそれぞれ異なる深さで設けられている。そして、この型枠形状により、意匠部６〜９（６は図示略）をパネル部の基表面から異なる高さ（ｈ１＜ｈ３＜ｈ２）で成形し、隣接する意匠部６〜９間に高低差を設けて、溝６ａ〜９ａによる陰影に立体感を付けることができるようになっている。なお、図５に、溝６ａ，７ａ，８ａ，９ａ（６ａは図示略）のピッチと深さの比率を約２：１で例示した。
【００２０】
上記のように構成されたコンクリート擁壁１において、図６に示すように、太陽光線が右斜め上から照射し、これを正面から見た場合は、右下がり傾斜溝意匠部８の陰影が濃く、左下がり傾斜溝意匠部９の陰影が淡く、縦溝意匠部６及び横溝意匠部７の陰影が中立に表れる。図７に示すように、太陽光線が左斜め上から照射し、これを正面から見た場合は、左下がり傾斜溝意匠部９の陰影が濃く、右下がり傾斜溝意匠部８の陰影が淡く、縦溝意匠部６及び横溝意匠部７の陰影が中立に表れる。図８に示すように、太陽光線が真上から照射し、これを正面から見た場合は、横溝意匠部７の陰影が濃く、縦溝意匠部６の陰影が淡く、右下がり傾斜溝意匠部８及び左下がり傾斜溝意匠部９の陰影が中立に表れる。
【００２１】
また、図２に示すように、通行人がコンクリート壁ブロック２を▲１▼左斜め上方から見た場合は、左下がり傾斜溝意匠部９及び横溝意匠部７の陰影が濃く、右下がり傾斜溝意匠部８の陰影が淡く、縦溝意匠部６の陰影が中立に表れる。図３に示すように、通行人がコンクリート壁ブロック２を▲２▼右斜め上方から見た場合は、右下がり傾斜溝意匠部８及び横溝意匠部７の陰影が濃く、左下がり傾斜溝意匠部９の陰影が淡く、縦溝意匠部６の陰影が中立に表れる。その他、通行人がコンクリート壁ブロック２を、▲３▼左斜め下方、▲４▼左横方向、▲５▼右斜め下方、▲６▼右横方向、▲７▼上方向、又は▲８▼下方向から見た場合にも、それぞれ陰影の濃淡の表れ方が異なる。
【００２２】
従って、この実施形態のコンクリート壁ブロック２によれば、壁面部に溝方向の異なる四種類の溝６ａ〜９ａによって陰影を付け、陰影の濃淡を太陽光線や人の見る角度によって変化させ、コンクリート擁壁１の壁面全体に斬新な意匠効果を与えることができる。また、各意匠部６〜９の合計面積が、最も面積の小さい種類と最も面積の大きい種類とで２倍以上に異ならないようになっているので、太陽光線や人の見る角度が変わっても、必ず壁面全体の明度を適度に下げることができるとともに、その下げ幅があまり変わらないという効果がある。
【００２３】
なお、本発明は前記実施形態に限定されるものではなく、例えば以下のように、発明の趣旨から逸脱しない範囲で適宜変更して具体化することもできる。
（１）図９に示すように、意匠パターン５を正方形の四つの意匠部６〜９で構成し、意匠部６に縦溝６ａを並べ、意匠部７に横溝７ａを並べ、意匠部８に右下がり傾斜溝８ａを並べ、意匠部９に左下がり傾斜溝９ａを並べること。
（２）意匠パターンを長方形の意匠部によりれんが積み模様に成形すること。
（３）全体が薄いパネル状のコンクリート壁ブロックにおいて、壁面に意匠部を設けること。
（４）外構壁用コンクリート壁ブロックや護岸用コンクリート壁ブロックにおいて、壁面に意匠部を設けること。
【００２４】
【発明の効果】
以上詳述した通り、本発明に係るコンクリート壁ブロック及びコンクリート壁によれば、壁面部に溝方向の異なる四種類の意匠部を設けたので、コンクリート壁面に陰影の濃淡の変化による意匠を創作して、壁面の景観を向上させることができるという優れた効果を奏する。
【図面の簡単な説明】
【図１】本発明に係るコンクリート壁の一実施形態を示す斜視図である。
【図２】同コンクリート壁に用いる大型のコンクリート壁ブロックを示す斜視図である。
【図３】同コンクリート壁に用いる小型のコンクリート壁ブロックを示す斜視図である。
【図４】同コンクリート壁ブロックの意匠パターンを示す正面図である。
【図５】図４のＶ−Ｖ線断面図である。
【図６】図１のコンクリート壁の意匠効果を示す正面図である。
【図７】同意匠効果の変化を示す正面図である。
【図８】同意匠効果の別の変化を示す正面図である。
【図９】本発明に係るコンクリート壁ブロックの変更例を示す斜視図である。
【符号の説明】
１　　コンクリート擁壁
２　　コンクリート壁ブロック
３ａ　パネル部
３ｂ　中空部
５　　意匠パターン
６　　意匠部
６ａ　縦溝
７　　意匠部
７ａ　横溝
８　　意匠部
８ａ　右下がり傾斜溝
９　　意匠部
９ａ　左下がり傾斜溝
１１　　意匠用型枠
【図１】
2004019344.tif 000004
【図２】
2004019344.tif 000005
【図３】
2004019344.tif 000006
【図４】
2004019344.tif 000007
【図５】
2004019344.tif 000008
【図６】
2004019344.tif 000009
【図７】
2004019344.tif 000010
【図８】
2004019344.tif 000011
【図９】
2004019344.tif 000012